(57)【特許請求の範囲】
【請求項１】
上端部近傍に略コ字形状の補強板を固定した左右の支柱と、前記支柱に前記補強板を介して取り付けた左右の棚板と、前記棚板の前部および後部を連結する前ラックと後ラックとを備え、前記補強板は、背面に複数の角穴を設けるとともに、側面に爪部と取付穴とを設け、前記棚板は、背面にＬ字状の突起と係止片とを設け、前記Ｌ字状突起を前記角穴に挿入しつつ前記棚板を回転させて前記支柱にかぶせることで前記Ｌ字状突起を前記角穴に係止するとともに、前記係止片を前記爪部に係止することで前記支柱と前記棚板を仮固定した後、前記取付穴にねじを締め付けることで前記支柱と前記棚板とを固定するようにした衣類乾燥機の置き台。
【発明の詳細な説明】
【０００１】
【発明の属する技術分野】
本発明は、下方に洗濯機を設置し、上方に衣類乾燥機を設置する衣類乾燥機の置き台に関するものである。
【０００２】
【従来の技術】
従来、この種の衣類乾燥機の置き台は、図４に示すように構成していた。以下、その構成について説明する。
【０００３】
図に示すように、左右の支柱１の上部に衣類乾燥機を固定する穴部２を設けた棚板３を溶接などで固定し、前部に前ラック４およびキャップ５を取り付け、後部に後ラック６を取り付けている。この置き台を洗濯機７の背面にねじ８で洗濯機６の本体に固定するようになっている。
【０００４】
【発明が解決しようとする課題】
このような従来の構成では、支柱１と棚板３を溶接およびねじで固定し、塗装処理を有していた。また、支柱１と棚板３が溶接で一体になっており、包装の形態が大きくなり、搬送時の荷扱いが悪く、運送費ガ高いという問題を有していた。
【０００５】
本発明は上記従来の課題を解決するもので、支柱を棚板を別体化することにより、工場での生産性を向上し、包装形態の小型化ができるとともに、支柱と棚板の組立作業性の簡素化をはかることを目的としている。
【０００６】
【課題を解決するための手段】
本発明は上記目的を達成するために、上端部近傍に略コ字形状の補強板を固定した支柱を左右に配置し、前記支柱に前記補強板を介して棚板をまず仮固定し、ねじにて支柱と棚板を固定し、その後左右の棚板の前部および後部を連結する前ラックと後ラックを固定したものである。
【０００７】
これにより、左右の支柱と棚板を別体化することで、置き台の生産性を向上することができ、包装形態を小型化することが可能になり、包装才数を大幅に低減できるとともに、支柱と棚板の組立作業性の簡素化をはかることができる。
【０００８】
【発明の実施の形態】
本発明の請求項１に記載の発明は、上端部近傍に略コ字形状の補強板を固定した左右の支柱と、前記支柱に前記補強板を介して取り付けた左右の棚板と、前記棚板の前部および後部を連結する前ラックと後ラックとを備え、前記補強板は、背面に複数の角穴を設けるとともに、側面に爪部と取付穴とを設け、前記棚板は、背面にＬ字状の突起と係止片とを設け、前記Ｌ字状突起を前記角穴に挿入しつつ前記棚板を回転させて前記支柱にかぶせることで前記Ｌ字状突起を前記角穴に係止するとともに、前記係止片を前記爪部に係止することで前記支柱と前記棚板を仮固定した後、前記取付穴にねじを締め付けることで前記支柱と前記棚板とを固定するようにしたものであり、支柱と棚板とを別体部品で構成できるため、溶接作業がなくなり、生産性を向上することができ、棚板は補強板を介して支柱に取り付けるため、取付強度を大きくすることができて、棚板の上面に設置した衣類乾燥機を支持することができ、さらに、支柱と棚板を分割して包装できるため包装形態が小さくなり、荷扱い等の作業性を向上できるとともに、運送費を大幅に低減することができ、また、支柱と棚板の取り付けを確実に、かつ、簡単に固定することができ、棚板の上面に設置した衣類乾燥機を支持することができる。
【０００９】
【実施例】
以下、本発明の一実施例について、図面を参照しながら説明する。
【００１０】
図１に示すように、支柱９は、上端部近傍に略コ字形状の補強板１０をスポット溶接等で固定している。この支柱９は左右にそれぞれ配置し、衣類乾燥機を固定する穴部１１を設けた棚板１２を取り付ける。この棚板１２の前部を前ラック１３で連結してねじ１４で固定し、両端にキャップ１５を装着する。左右の棚板１２の後部上面に後ラック１６をねじ１４で固定する。
【００１１】
略コ字形状の補強板１０は、図２に示すように、背面に複数の角穴１７を並設し、側面には、爪部１８と取付穴１９を設けている。棚板１２の背面には、Ｌ字状の突起２０を設けるとともに、係止片２１を設けている。
【００１２】
上記構成において作用を説明すると、補強板１０を固定した支柱９に棚板１２を取り付けるときは、図２に示すように、棚板１２の背面に設けたＬ字状の突起２０を補強板１０の背面に複数の角穴１７に挿入し、棚板１２を矢印方向に回転させて、図３に示すように、支柱９の上部にかぶせ、補強板１０の爪部１８に棚板１２の係止部２２を当接して係止するとともに、係止片２１を爪部１８に下面に当接させて仮固定し、ねじ２３で支柱９と棚板１２を固定する。
【００１３】
このため、補強板１０を固定した支柱９と棚板１２は、補強板１０の爪部１８に棚板１２の係止片２１と係止部２２を係止するとともに、ねじ２３で固定するため、取付強度を大きくすることができて、棚板１２の上面に衣類乾燥機を設置した場合でも、確実に支持することができる。
【００１４】
また、支柱９と棚板１２とを別体部品で構成できるため、溶接作業がなくなり、生産性を向上することができ、支柱９と棚板１２を分割して包装できるため、包装形態が小さくなり、荷扱い等の作業性を向上できるとともに、運送費を大幅に低減することができる。
【００１５】
【発明の効果】
以上のように本発明の請求項１に記載の発明によれば、上端部近傍に略コ字形状の補強板を固定した左右の支柱と、前記支柱に前記補強板を介して取り付けた左右の棚板と、前記左右の棚板の前部および後部を連結する前ラックと後ラックとを備え、前記補強板は、背面に複数の角穴を設けるとともに、側面に爪部と取付穴とを設け、前記棚板は、背面にＬ字状の突起と係止片とを設け、前記Ｌ字状突起を前記角穴に挿入しつつ前記棚板を回転させて前記支柱にかぶせることで前記Ｌ字状突起を前記角穴に係止するとともに、前記係止片を前記爪部に係止することで前記支柱と前記棚板を仮固定した後、前記取付穴にねじを締め付けることで前記支柱と前記棚板とを固定するようにしたから、支柱と棚板とを別体部品で構成できるため、溶接作業がなくなり、生産性を向上することができ、棚板は補強板を介して支柱に取り付けるため、取付強度を大きくすることができて、棚板の上面に設置した衣類乾燥機を支持することができ、さらに、支柱と棚板を分割して包装できるため包装形態が小さくなり、荷扱い等の作業性を向上できるとともに、運送費を大幅に低減することができ、また、支柱と棚板の取り付けを確実に、かつ、簡単に固定することができ、棚板の上面に設置した衣類乾燥機を支持することができる。
【図面の簡単な説明】
【図１】  本発明の一実施例の衣類乾燥機の置き台の分解斜視図
【図２】  同衣類乾燥機の置き台の棚板と支柱の取り付けを示す要部拡大斜視図
【図３】  同衣類乾燥機の置き台の要部拡大斜視図
【図４】  従来の衣類乾燥機の置き台の分解斜視図
【符号の説明】
９  支柱
１０  補強板
１２  棚板
１３  前ラック
１６  後ラック
【図１】
0003812077.tif 000002
【図３】
0003812077.tif 000003
【図４】
0003812077.tif 000004
【図２】
0003812077.tif 000005